(57)【要約】      （修正有）【課題】シートが折り畳み式構造を有し、嵩を増大させなくても空間活用性を向上させるように、その構造が改良されたカレンダーを提供する。【解決手段】多数枚のシート１１０が連結リング２１０によって回転可能に連結され、そのシートの上端縁端部に形成された折畳部１５０を基準として折り畳み式構造の折畳紙１２０が延長形成された構造を有する。または、前記シートの縁のうち、少なくとも一部位が折畳部を基準として回転するように折畳紙が延長形成されることにより、その折畳紙によって空間活用性が増大され、メモおよび額縁機能などの付加的な機能が付加される。または、折畳紙がシートと同大であるカレンダー１００の場合には、シートと折畳紙が外側と内側面からなるカレンダー形態を有するので一枚からなる既存のシートより広告露出効果と生産性が向上される。プライバシーの侵害を予防できる効果を有するカレンダーとする。【選択図】図１
2008068622.tif 000002
【特許請求の範囲】
【請求項１】
複数枚のシートが連結手段によって回転可能に連結されるカレンダーにおいて、
前記シートの上端の縁に少なくとも一つの折畳部を有する折り畳み式構造の折畳紙が延長形成されることを特徴とするカレンダー。
【請求項２】
前記シートのそれぞれに少なくとも一つの連結孔が形成され、前記連結手段は、前記連結孔に結合されて前記シートを回転可能に連結する連結リングを具備することを特徴とする請求項1に記載のカレンダー。
【請求項３】
前記折畳紙とシートを選択的に密着されるように結合させる結合手段をさらに具備することを特徴とする請求項1または請求項2に記載のカレンダー。
【請求項４】
前記結合手段は、前記折畳紙の端部の縁に形成される少なくとも一つ以上の差込突起と、
前記シートに形成される前記折畳紙の差込突起に対応する差込溝を備えることを特徴とする請求項3に記載のカレンダー。
【請求項５】
前記折畳紙は、前記シートの大きさと同大であることを特徴とする請求項1乃至4いずれかに記載のカレンダー。
【請求項６】
前記折畳紙は、前記シートの大きさより小さいものであることを特徴とする請求項1乃至4いずれかに記載のカレンダー。
【請求項７】
複数枚のシートが連結手段によって回転可能に連結されるシートにおいて、
前記シートの下端または両側の縁のうち、少なくとも一つの縁に少なくとも一つの折畳部を有する折り畳み式構造の折畳紙が延長形成されることを特徴とするカレンダー。
【請求項８】
前記折畳紙に鞘の形態の結合孔が複数個形成されることにより、写真の縁がそれぞれ差し込み結合されることが可能であることを特徴とする請求項7に記載のカレンダー。
【請求項９】
前記シートに少なくとも一つ以上の透視窓が穿孔形成されることを特徴とする請求項7または8に記載のカレンダー。
【請求項１０】
複数枚のシートが連結手段によって回転可能に連結されるカレンダーにおいて、
前記カレンダーの上端、下端、両側の縁のうち、少なくとも二つ以上の縁に少なくとも一つ以上の折畳部を有する折り畳み式構造の折畳紙が延長形成されることを特徴とするカレンダー。
【発明の詳細な説明】
【技術分野】
【０００１】
本発明はカレンダーに関し、特に日付が印刷されたシートの上下または側面の縁側に折り畳み式構造の折畳紙を構成し、空間の活用性増大およびディスプレー性能を向上させるとともに、個人プライバシーを保護することができるように、その構造が改良されたカレンダーに関する。
【背景技術】
【０００２】
一般的に、卓上カレンダーはテーブルに立てられた状態で置けるように、三角型の厚い板紙からなる三角支持台を備えており、その三角支持台の一側または他側面に複数枚のシートの端部がコイルスプリングからなる連結環によって回転可能に結合されている構造を有する。
しかしながら、既存の卓上カレンダーは、一般的にスプリング形態の結合環によって回転可能に連結されているので、使用完了された月のシートを切り離す或いは後方へ捲って前面に露出しないように使用されるものが多い。
【０００３】
また、既存のシートは単純形態で構成されているので、使用者に画一的或いは食傷したイメージだけを与え、消費者の購買欲求を満たせないという問題点があった。
なお、シートに印刷された日付の表示外には余白が十分ではないため、広告物が印刷される空間は限られている。また、隅に広告物が印刷されたとしても視覚的に強調されないので、その広告効果が低下するという問題点があった。
【０００４】
また、既存のカレンダーはその空間の有効利用のため、日付以外に他の情報が印刷されて配されている。時々、その空間が不足した場合、印刷された字の大きさを小さくするか、または全体の嵩を拡張しなければならないという短所があった。
しかも、従来の卓上カレンダーは、使用者の個人的な情報をシートに記載する場合、そのシートは月暦が印刷された一枚のみであり、その記載された面はいつも前方に位置するので、シートに記載された個人情報が外部へ露出され、プライバシーが損なわれる恐れがあった。
【発明の開示】
【発明が解決しようとする課題】
【０００５】
本発明は、上述した諸般の問題点を勘案し、これを解決しようと提案されたものであり、その目的は全体の嵩を拡大させなくても、多量の情報を掲載できるだけではなく、額縁機能およびメモ機能などの多様な機能を備えるように、その構造が改良されたカレンダーを提供することにある。
また、本発明の他の目的は、外側面と内側面を備えたツイン方式で製作され、カバーを別途製作しなくても、個人情報が記載されたシートの前面を遮断してプライバシー侵害を予防することができるカレンダーを提供することにある。
【課題を解決するための手段】
【０００６】
上述した目的を達成する本発明は、複数枚のシートが連結手段によって回転可能に連結され、前記シートの上端の縁に少なくとも一つの折畳部を有する折り畳み式構造の折畳紙が延長形成されていることを特徴とする。
本発明の連結手段は、上記の各シートに少なくとも一つの連結孔がそれぞれ形成され、前記連結孔に結合されて前記シートを回転可能に連結させる連結リングを具備する。
本発明は、折畳紙とシートが選択的に密着するように結合させる結合手段をさらに具備することが好ましい。
【０００７】
前記結合手段は、前記折畳紙の端部の縁に差込突起が少なくとも一つ以上形成され、前記折畳紙の差込突起に対応する差込溝が前記シートに形成されてなる。
本発明の他の特徴は、複数枚のシートが連結手段によって回転可能に連結され、前記シートの下端または両側の縁のうち、少なくとも一つの縁に少なくとも一つの折畳部を有する折り畳み式構造の折畳紙が延長形成されることである。
本発明は、写真の縁がそれぞれ差込結合されるように、前記折畳紙に鞘の形態の結合孔が複数個形成されることが好ましい。
本発明は、前記シートに少なくとも一つ以上の透視窓が穿孔形成されるものである。
本発明の他の特徴は、複数枚のシートが連結手段によって回転可能に連結され、前記シートの上端、下端、両側の縁のうち、少なくとも二つ以上の縁に少なくとも一つの折畳部を有する折り畳み式構造の折畳紙が延長形成されることである。
【発明の効果】
【０００８】
本発明は、シートが折り畳み式構造からなり、嵩を拡大させなくても、空間の活用性を増大するように、その構造が改良されたカレンダーである。本発明のカレンダーによれば、シートの縁のうち、少なくとも一部位を折畳部とし、これを基準として回転可能なように、折畳紙が延長形成されている。この折畳紙によって空間活用性が増大され、メモおよび額縁機能などの付加的な機能を得られる有用な効果を奏する。
【０００９】
また、折畳紙がシートと同大である場合には、シートと折畳紙が外側と内側面からなるカレンダー形態となり、その内側面に月暦が印刷されて外側面は広告文句の印刷されるカバー機能をもつ。これにより、一枚である既存のシートより広告露出効果と生産性が向上されるだけではなく、そのカバー機能の外側面により、個人情報が記載されたシートまたは折畳紙の内側面を遮断することができるので、プライバシーの侵害を予防する効果を持つ。
【発明を実施するための最良の形態】
【００１０】
以下、本発明の好ましい実施例を、図面に基づき、詳細に説明する。また、下記で説明する各実施例で同一である構成要素に対しては同じ符号を付し、重複する説明は省略する。
本発明による月暦の一実施例を、図1乃至図3に基づいて説明する。本実施例の構造は、多数枚のシート（110）が連結リング（210）によって回転可能に連結される。シート（110）は、その上端縁の端部に形成された折畳部（150）を軸として折り畳み可能なように延長形成された、折畳紙（120）を備える。即ち、折畳紙（110）は折り畳み式構造である。
【００１１】
シート（110）は、本発明のカレンダーが卓上型とされる場合、三角支持台（310）に支持され、卓上の上側面に対し傾いた角度を有して組み立てられる構造となる。
折畳部（150）は、シート（110）と折畳紙（120）の境に該当し、その折畳部（150）を軸として、折畳紙（120）がシート（110）に対し回転可能である。
折畳紙（120）は、シート（110）の外側の前面へ突出するように延長形成されることにより、シート（110）の前面部位を覆う形態で構成される。これにより、折畳紙（120）とシート（110）が折畳部（150）によって折れる外側面と内側面を有するように構成される。
【００１２】
加えて、折畳紙（120）は、表面（外側面）に広告文句が印刷されたり、ディスプレー可能であったりする部位となり、外観上特有なイメージを与えることが可能である余白空間をもたらすという機能を備える。さらに、この折畳紙（120）は、シート（110）の内側面と折畳紙（120）の内側面に実際の日付が印刷され、シート（110）に記載された個人情報などの外部露出を遮断するカバー機能を果たすことができる。
【００１３】
上記で説明していない符号（130」）は、連結リング（210）との連結のため、折畳紙（120）に形成された多数個の連結孔を示したものである。
【００１４】
こうした構成を有する本発明の一実施例の作用は次の通りである。
本発明のカレンダー（100）の第1実施例は、連結リング（210）にシート（110）を回転可能に連結させると、このシート（110）の上端縁に延長された折畳紙（120）が各シート（110）の上部を覆う構造となり、それぞれシート（110）の内側面に日付が印刷されて、カレンダーの機能を備えることができ、この折畳紙（120）の外側面に、別途、広告文句または、メッセージを印刷することができる。
この際、使用者は折畳紙（120）を捲り挙げ、日付が印刷されたシート（110）を見たり、筆記具を用いてシート（110）に個人情報や期日をチェックすることができる。また、折畳紙（120）を下ろすと広告文句の印刷された折畳紙（120）の外側面がいつも前面に位置するので、広告効果だけではなく個人情報が記載されたシート（110）を他人が見にくいという利点がある。
【００１５】
また、折畳紙（120）とシート（110）が同大である場合、折畳部（150）を基準として、相互に対称となるように日付が印刷されるとともに、折畳紙（120）の連結孔（130）がシート（110）の連結孔（130）と対称となる位置に形成され、一つの折畳紙（120）とシート（110）で二つの月暦を表示されることができる。その折畳紙（120）とシート（110）の外側面は、広告文句などを印刷する余白空間として活用できる。
【００１６】
第１実施例
本発明の第1実施例では、シート（110）と折畳紙（120）が互いに向き合う内側面に日付が互いに対称となるように印刷されることが好ましい。例えば、1月から6月までの月暦はシート（110）の前面に印刷し、7月から12月までの月暦はシート（110）の前面と向き合う折畳紙（120）の後面に互いに対称となる方向に印刷された構造を有する。
【００１７】
これは、カレンダーをシート（110）の内側面が前方に向く一方向に印刷された1月から6月までの月暦を使用した後、その月暦が記載されたシートを逆に回して7月から12月までの月暦が印刷された折畳紙（120）の内側面が前方に向くようにして使用することができる。
【００１８】
すなわち、シート（110）と折畳紙（120）の内側面にそれぞれ1〜6月、7〜12月の月暦がそれぞれ印刷されているので、一枚ではない外側面と内側面からなる。この場合、他人から見えないようにするために、月暦が印刷されたシート（110）の内側面を折畳紙（120）の外側面によりカバーすることができ、一方、7月から12月までの月暦が印刷された折畳紙（120）の内側面に対しては、シート（110）の外側面がカバーとしての機能を備える。
【００１９】
しかも上記の場合には、シート（110）と折畳紙（120）を、折畳部を基準として半分に折って製作できるので、生産性が向上される効果を有する。
このとき、本発明のカレンダー（100）は使用者の所望に応じてシート（110）の一面だけに日付を印刷しても良い。
【００２０】
図4乃至図6は、本発明の第1実施例の他の変更例を示した図面であって、前述の第1実施例とは異なって、三角支持台（310）が省略された形態のカレンダーに関するものである。この変更例は、折畳部（150）によって回転可能な複数のシート（110）と折畳紙（120）が連結リングによって連結された構造を備える。
【００２１】
この変更例により、本発明のカレンダーが、三角支持台が省略されたカレンダーの他にも、多様な形態のカレンダーに適用可能であることを示す。
このとき、シート（110）と折畳紙（120）は外側面と内側面からなり、内側面に相互対称となる形態の月暦の日付が印刷されて、外側には広告文句が形成される点において、第1実施例と同様の構成である。使用者が、月単位で使用する場合、折畳紙（120）とシート（110）をまとめて捲って該当する月暦を使用することができる。
【００２２】
図7は、本発明の第1実施例の他の変更例を示した図面であって、その折畳紙（120）がシート（110）より大きい嵩で製作されている。この変更例によると、複数個の折畳部（150）によって折畳紙（120）が複数個に備えられることもできる。
これは、折畳紙（120）が複数の折畳部（150）によって数回畳み可能な構造で形成できることを意味するものである。
【００２３】
第2実施例
図8乃至図10は、本発明のカレンダーによる第2実施例を示した図面である。この第2実施例の構造において、折畳紙（120）がシート（110）の上端縁に折畳部（150）を基準として回転可能な折り畳み式構造であるとともに延長形成されることは前述の実施例と同一であるが、その折畳紙（120）がシート（110）より小さい嵩で形成されている点で異なる。
これは、折畳紙（120）の外側面と内側面に広告文句が記載される余白空間として活用されると共に、折畳紙（120）に隠されたシート（110）の上部の部位に、他のメッセージまたは広告文句を印刷する空間として活用することができる。
【００２４】
また、折畳紙（120）は、シート（110）と密着されるように結合手段をさらに具備することができる。この結合手段は、図11のように、折畳紙（120）の縁端部から差込突起（122）が延長形成され、その差込突起（122）と対応する差込溝（112）がシート（110）に形成され、相互差込結合によって折畳紙（120）がシート（110）に密着するように、面接触される構造を有する。
【００２５】
一方、その結合手段の他の例としては、図12のように、折畳紙（120）とシート（110）の面接触される部位にそれぞれ磁石部材（114）（124）を結合させることにより、一体化し、磁石の引力を用いて着脱自在とするものである。
このとき、結合手段が備えられた場合には、その結合手段を用いてそれぞれの折畳紙（120）を各シート（110）の上部に面接触させるので、各折畳紙（120）が各シート（110）の上部面に密着された状態を維持することになり、外観上の美しさを維持することができる。
【００２６】
また、その折畳紙（120）の縁の形状をラウンド形状や、所望の模様にすることにより、外観上のディスプレー機能性を向上することができる。
加えて、折畳紙（120）の他の用途として、後面に筆記可能な余白空間を形成してメモ帳としての機能を果たすことができる。
【００２７】
第3実施例
図13乃至図15は、本発明の第3実施例を示した図面である。第3実施例の構造は、前述の第1、2実施例とは異なって、連結リング（210）によって製本される部位に折畳紙（120）が形成されたものではなく、シート（110）の側面縁の端部から折畳部（150）を基準として回転可能な折畳紙（120）が折り畳み式構造でであるとともに延長形成されたものである。
【００２８】
その折畳紙（120）は、単純に空間を提供する機能以外に写真Pなどを収納できる額縁の機能をさらに具備することができ、このため折畳紙（120）が密着されるシート（110）の対応部位に透視窓（110a）が穿孔形成され、写真Pの縁が差込結合されるように鞘形態の結合孔（125）が複数個形成されるものである。
【００２９】
その他として、図示されていないが、折畳紙（120）は、結合孔（125）の代わりに着脱自在な接着部材を用いて写真を折畳紙（120）に固定するようにしても良い。
写真Pが結合孔（125）によって折畳紙（120）の後面に密着されるように支持されて、折畳部（150）を基準として折畳紙（120）がシート（110）の後面に回転させる場合には、写真Pがシート（110）の透視窓（110a）に対応されるように位置するので、シート（110）と折畳紙（120）が額縁の機能を果たす。
【００３０】
第4実施例
図16は、本発明のカレンダーの第4実施例を示す。第4実施例の構造は前述の第1、2、3実施例とは異なり、シート（110）の下端の縁に折畳部（150）を基準として回転可能な折り畳み式構造の折畳紙（120）が延長形成され、後方に反ることができるものである。
これは、折畳紙（120）が、シート（110）の下段の縁から延長形成され、長さを長く延長させることができる機能を有する。
【００３１】
図17は、本発明の第4実施例の変更例を示したものであり、その構造はシート（110）の下部縁に折畳部（150）を基準として回転可能な折畳紙（120）が多数個に分割されるように折取部（155）が備えられる。これにより、折畳紙（120）が分割されて、分割された部位がそれぞれクーポン形態で使用するようにしたものである。
【００３２】
第5実施例
図18乃至図20は、本発明のカレンダーの第5実施例を示した図面である。第5実施例の構造は、前述の第1、2、3、4実施例で折畳紙（120）が、シート（110）の縁のうち、複数部位に折畳部（150）を設けて、これを基準として回転可能なように備えられたものである。これは、シート（110）の複数の縁に、折畳紙（120）が延長形成できることを示したものである。
【００３３】
第6実施例
図21は、本発明のカレンダーの第6実施例を示した図面である。第6実施例の構造は、前述の第4実施例の変更例とは相反される概念を有する構造からなるものである。即ち、折畳紙（120）よりシート（110）の長さがさらに長く延長され、その折畳紙（120）より延長されたシート（110）の端部が多数個に分割されるように少なくとも一つ以上の折取部（155）が形成されて、その折り取られたシート（110）の下部がそれぞれ分割され、クーポン券として使用できるようにしたものである。
【００３４】
上述した本発明の各実施例は、シート（110）の各縁のうち、連結リング210によって製本される上端の縁とそれ以外の残り下端および縁のうち、少なくとも一つの縁部位に折畳部（150）を設けることによって、折り畳み式構造の折畳紙（120）が延長形成された技術的な思想を有するものである。本発明は、この要旨を逸脱しない範囲で種々に変更可能である。たとえば、シートの縁から折り畳み式構造で延長形成された折畳紙（120）はその長さや形状によらず、多様な形態を有することができる。
【図面の簡単な説明】
【００３５】
【図１】本発明によるカレンダーの第1実施例を示した斜視図である。
【図２】本発明の第1実施例のシートと折畳紙の連結構造を示した斜視図である。
【図３】図2の後面斜視図である。
【図４】本発明の第1実施例の他の変更例を示した斜視図である。
【図５】図4のシートと折畳紙の配列構造を示した斜視図である。
【図６】図4のシートと折畳紙の使用状態を示す図である。
【図７】本発明の第1実施例の他の変更例を示した斜視図である。
【図８】本発明によるカレンダーの第2実施例を示した斜視図である。
【図９】本発明第2実施例の要部であるシートと折畳紙を示した斜視図である。
【図１０】本発明の第2実施例の使用状態を示す図である。
【図１１】本発明の第2実施例の他の変更実施例を示した斜視図である。
【図１２】本発明の第2実施例の他の変更実施例を示した斜視図である。
【図１３】本発明によるカレンダーの第3実施例を示した斜視図である。
【図１４】本発明の第3実施例の要部であるシートと折畳紙を示した斜視図である。
【図１５】本発明の第3実施例の使用状態を示す図である。
【図１６】本発明によるカレンダーの第4実施例を示した斜視図である。
【図１７】本発明の第4実施例の他の変更実施例を示した斜視図である。
【図１８】本発明によるカレンダーの第5実施例を示した斜視図である。
【図１９】本発明の第5実施例の要部であるシートと折畳紙を示した斜視図である。
【図２０】本発明のカレンダーの第5実施例を示した斜視図である。
【図２１】本発明のカレンダーの第6実施例を示した斜視図である。
【符号の説明】
【００３６】
100  カレンダー
110  シート
110a  透視窓
112  差込溝
114,124  磁石部材
120  折畳紙
122  差込突起
125  結合孔
130  連結孔
150  折畳部
210  連結リング
【図１】
2008068622.tif 000003
【図２】
2008068622.tif 000004
【図３】
2008068622.tif 000005
【図４】
2008068622.tif 000006
【図５】
2008068622.tif 000007
【図６】
2008068622.tif 000008
【図７】
2008068622.tif 000009
【図８】
2008068622.tif 000010
【図９】
2008068622.tif 000011
【図１０】
2008068622.tif 000012
【図１１】
2008068622.tif 000013
【図１２】
2008068622.tif 000014
【図１３】
2008068622.tif 000015
【図１４】
2008068622.tif 000016
【図１５】
2008068622.tif 000017
【図１６】
2008068622.tif 000018
【図１７】
2008068622.tif 000019
【図１８】
2008068622.tif 000020
【図１９】
2008068622.tif 000021
【図２０】
2008068622.tif 000022
【図２１】
2008068622.tif 000023